(57)【要約】【課題】簡単な構造で放電による除荷を行って静電気の蓄積を避けることができるようにする。【解決手段】周壁６ａを有する皿状の金属フレーム６が樹脂枠部３ａに覆われるようにインサート成形された表示部筐体３の樹脂枠部３ａの周縁に静電容量方式のタッチパネルガラス２ｂを貼り付ける。金属フレーム６の周壁６ａ先端を樹脂枠部３ａの周縁から離散的に露出させ、この周壁６ａ先端をタッチパネル電極２ｃに異方性導電接着フィルム７を介して導電する。【選択図】図１
2014036267.tif 000002
【特許請求の範囲】
【請求項１】
静電容量方式のタッチパネルを有する表示部と、
周壁を有する皿状の金属フレームが樹脂枠部に覆われるようにインサート成形され、該樹脂枠部の周縁に上記タッチパネルが貼り付けられる表示部筐体とを備え、
上記金属フレームの周壁先端が上記樹脂枠部の周縁から離散的に露出し、該周壁先端が上記タッチパネル周縁の電極に異方性導電接着フィルムを介して導電されている
ことを特徴とする携帯端末。
【請求項２】
請求項１に記載の携帯端末において、
上記金属フレームの周壁先端は、所定の間隔に突起部が形成された櫛状である
ことを特徴とする携帯端末。
【発明の詳細な説明】
【技術分野】
【０００１】
本発明は、静電容量方式のタッチパネルを有する携帯端末に関し、特にその静電気破壊対策に関する。
【背景技術】
【０００２】
従来より、静電容量方式のタッチパネルを有する携帯端末は知られている。例えば、特許文献１では、マトリクス状の導電パターンの電極を使用し、静電破壊を防止しながら装置の薄型化を図っている。
【先行技術文献】
【特許文献】
【０００３】
【特許文献１】特開２０１１−１２８９３２号公報
【発明の概要】
【発明が解決しようとする課題】
【０００４】
ところで、タッチパネルを収容する表示部筐体の構成として、金属フレームがインサート成形されたものが知られている。タッチパネルは、絶縁体である樹脂枠部の表面に貼り付けられるので、金属フレームに対して放電可能に設置するのが困難である。
【０００５】
本発明は、かかる点に鑑みてなされたものであり、その目的とするところは、簡単な構造で放電による除荷を行って静電気の蓄積を避けることができるようにすることにある。
【課題を解決するための手段】
【０００６】
上記の目的を達成するために、この発明では、樹脂枠部から金属フレームの周壁先端を露出させた。
【０００７】
具体的には、第１の発明では、
静電容量方式のタッチパネルを有する表示部と、
周壁を有する皿状の金属フレームが樹脂枠部に覆われるようにインサート成形され、該樹脂枠部の周縁に上記タッチパネルが貼り付けられる表示部筐体とを備え、
上記金属フレームの周壁先端が上記樹脂枠部の周縁から離散的に露出し、該周壁先端が上記タッチパネル周縁の電極に異方性導電接着フィルムを介して導電されている。
【０００８】
上記の構成によると、金属フレームの周壁先端の全体を樹脂枠部から露出させるのではなく、離散的に露出させているので、表示部筐体の強度が低下しない。また、異方性導電接着フィルムを介してタッチパネルの静電気をその電極から金属フレームの周縁先端へ短い距離で放電できるので、放電効率がよい上に構造が簡単である。
【０００９】
第２の発明では、第１の発明において、
上記金属フレームの周壁先端は、所定の間隔に突起部が形成された櫛状である。
【００１０】
上記の構成によると、金属フレームの成形時に容易に突起部を設けることができると共に、金属フレームをインサート成形するときに、突起部を露出させやすい。
【発明の効果】
【００１１】
以上説明したように、本発明によれば、金属フレームの周壁先端を樹脂枠部の周縁から離散的に露出させて周壁先端をタッチパネル周縁の電極に異方性導電接着フィルムを介して導電させたことにより、簡単な構造で放電による除荷を行って静電気の蓄積を避け、静電気破壊を確実に防ぐことができる。
【図面の簡単な説明】
【００１２】
【図１】図２のＩ−Ｉ線拡大断面図である。
【図２】携帯電話機を示す正面図である。
【図３】表示部筐体を正面側から見た斜視図である。
【図４】表示部筐体を背面側から見た斜視図である。
【図５】図３のＶ部拡大斜視図である。
【発明を実施するための形態】
【００１３】
以下、本発明の実施形態を図面に基づいて説明する。
【００１４】
図２〜図４は、本発明の実施形態の携帯端末としての携帯電話機１を示し、詳細は図示しないが、この携帯電話機１は、例えば、表示部２を有する表示部筐体３がヒンジ部４を中心に操作ボタン、メイン基板、バッテリなどを有する操作部筐体（図示省略）に折畳み開閉可能に連結されている。
【００１５】
表示部２は、静電容量方式のタッチパネルよりなり、図１にも示すように、保護シート２ａ、タッチパネルガラス２ｂを有する。タッチパネルガラス２ｂの周縁背面には、図４にも示すように、タッチパネル電極２ｃが配置されている。タッチパネルガラス２ｂの背面中央には、液晶ディスプレイを含む液晶ユニット２ｄが貼り付けられている。表示部筐体３の背面は、矩形皿状の背面カバー５（図１にのみ示す）で覆われている。なお、図１において、タッチパネル電極２ｃは、見やすくするために誇張して大きく描いている。
【００１６】
表示部筐体３は、矩形枠状の樹脂枠部３ａを有し、この樹脂枠部３ａの周縁に皿状の金属フレーム６がインサート成形されている。樹脂枠部３ａの周縁には、矩形枠状の表示部貼付部３ｂが外周よりも一段低く形成されている。この表示部貼付部３ｂにタッチパネルガラス２ｂの周縁が貼り付けられている。
【００１７】
図３及び図５に示すように、金属フレーム６の上側及び左右に周壁６ａが折り曲げられて形成されている。その周壁６ａの先端には、スリット形成後の周壁６ａ部分の折り曲げ時に突起部６ｂが所定の間隔で残って櫛状となっている。そして、この突起部６ｂの先端が樹脂枠部３ａの周縁から離散的に露出している。突起部６ｂの間隔は、例えば等間隔とすればよく、その間隔は、タッチパネル電極２ｃに合わせて適宜設定すればよい。また、等間隔でなくてもよい。なお、突起部６ｂの先端は、射出成形などのインサート成形時に金型内で溶融樹脂で覆われないようにして露出させるので、表示部貼付部３ｂ表面と同一又はそれよりも低くなっている。そして、突起部６ｂが露出した表示部貼付部３ｂに対し、タッチパネルガラス２ｂのタッチパネル電極２ｃ部分が矩形枠状の異方性導電接着フィルム７を介して接着されて導電されている。異方性導電接着フィルム７は、面方向に絶縁性を保持する一方、厚み方向に導通性を持ち、両面テープの役割も果たしている。
【００１８】
このように、金属フレーム６の周壁６ａ先端の全体を樹脂枠部３ａの表示部貼付部３ｂから露出させるのではなく、離散的に突起部６ｂのみを露出させているので、表示部筐体３の強度が低下しない。
【００１９】
また、異方性導電接着フィルム７を介してタッチパネルガラス２ｂの静電気をその電極２ｃから金属フレーム６の周縁先端へ短い距離で放電できるので、放電効率がよい上に構造が簡単である。
【００２０】
さらに、金属フレーム６のプレス成形時に容易に突起部３ｃを設けることができると共に、金属フレーム６を金型内でインサート成形するときに、突起部３ｃを露出させやすい。
【００２１】
したがって、本実施形態にかかる携帯電話機１によると、簡単な構造で放電による除荷を行って静電気の蓄積を避け、静電気破壊を確実に防ぐことができる。
【００２２】
（その他の実施形態）
本発明は、上記実施形態について、以下のような構成としてもよい。
【００２３】
すなわち、上記実施形態では、突起部６ｂは、図３で上側及び左右に設けたが、下側にも設けてもよい。要は、タッチパネル電極２ｃ部分に合わせて設けるとよい。
【００２４】
上記実施形態では、携帯電話機１は、折畳み式の携帯電話機１としたが、これに限定されず、１つの筐体のみを有するストレート型でもよい。その場合には、表示部筐体の内部の金属フレーム６の背面側にバッテリ、メイン基板等が収容される。
【００２５】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２６】
なお、以上の実施形態は、本質的に好ましい例示であって、本発明、その適用物や用途の範囲を制限することを意図するものではない。
【産業上の利用可能性】
【００２７】
以上説明したように、本発明は、静電容量方式のタッチパネルを有する携帯電話機などの携帯電話機について有用である。
【符号の説明】
【００２８】
１      携帯電話機（携帯端末）
２      表示部
２ａ    保護シート
２ｂ    タッチパネルガラス
２ｃ    タッチパネル電極
２ｄ    液晶ユニット
３      表示部筐体
３ａ    樹脂枠部
３ｂ    表示部貼付部
３ｃ    突起部
４      ヒンジ部
５      背面カバー
６      金属フレーム
６ａ    周壁
６ｂ    突起部
７      異方性導電接着フィルム
【図１】
2014036267.tif 000003
【図２】
2014036267.tif 000004
【図３】
2014036267.tif 000005
【図４】
2014036267.tif 000006
【図５】
2014036267.tif 000007